(57)【要約】  組織をステープル留めするための腹腔鏡ステープラが、より少ない漏出を伴うより良好な吻合のために提供される。腹腔鏡ステープラは、ステープル（６６）をアンビルアセンブリ（３０）に向かって駆動して、組織のステープル留めを行うように動作可能なステープルハウジングアセンブリ（２０）を備え、ステープルハウジングアセンブリ（２０）は、バイオ接着剤を収容するためのポケット（２９）を備え、これにより、組織をステープル留めするときに、バイオ接着剤が放出され、組織接着のためにステープルハウジングアセンブリ（２０）とアンビルアセンブリ（３０）との間にクランプされた組織内に送達される。
2021502176.tif 000002
【特許請求の範囲】
【請求項１】
組織をステープル留めするための腹腔鏡ステープラであって、ステープルをアンビルアセンブリに向かって駆動して組織のステープル留めを行うように動作可能なステープルハウジングアセンブリを備え、前記ステープルハウジングアセンブリが、バイオ接着剤を収容するためのポケットを備え、これにより、組織をステープル留めするときに、前記バイオ接着剤が放出され、組織接着のために前記ステープルハウジングアセンブリと前記アンビルアセンブリとの間にクランプされた組織内に送達される、腹腔鏡ステープラ。
【請求項２】
前記ステープルハウジングアセンブリが、前記アンビルアセンブリに対して移動可能な別個のアセンブリである、請求項１に記載の腹腔鏡ステープラ。
【請求項３】
前記ステープルハウジングアセンブリ及び前記アンビルアセンブリの両方が、実質的にＴ字形のアセンブリである、請求項２に記載の腹腔鏡ステープラ。
【請求項４】
前記ポケットが複数のポケットを含み、これらのポケットの各々が、前記ステープルハウジングアセンブリ内に配置された複数のステープルポケットのうちの１つに対応する、請求項３に記載の腹腔鏡ステープラ。
【請求項５】
前記複数のポケットが、前記ステープルポケットと同様に複数の長円形の列に配設されている、請求項４に記載の腹腔鏡ステープラ。
【請求項６】
前記ステープルハウジングアセンブリが、組織切断用のブレードを更に備える、請求項２に記載の腹腔鏡ステープラ。
【請求項７】
前記ステープルハウジングアセンブリが、前記ステープル、前記バイオ接着剤、及び前記ブレードを順に押し出すためのステップ駆動部を備える、請求項６に記載の腹腔鏡ステープラ。
【発明の詳細な説明】
【技術分野】
【０００１】
本発明は、概して、外科用ステープラに関する。より具体的には、本発明は、吻合を補助するために、別個のポケット内にバイオ接着剤を有する腹腔鏡ステープラに関する。
【背景技術】
【０００２】
状況によっては、外科医は患者の体に形成された開口部を通して外科用器具を位置合わせし、その器具を使用して患者体内の組織の調整、位置合わせ、装着、及び／又は代わりに組織との相互作用を行いたいことがある。例えば、いくつかの外科処置では、望ましくない組織を排除するか又は他の理由で、消化管の一部分を切り離し除去することがある。一旦所望の組織が除去されると、その組織の残りの部分を互いに再結合させることが必要になる場合がある。円形ステープラは、これらの吻合処置を達成するためのツールのうちの１つである。
【０００３】
腹腔鏡手法の侵襲性は最小限であるため、腹腔鏡手術は一部の患者にとって最良と見なされている。しかしながら、既存の円形ステープラは、現代の低侵襲性腹腔鏡手術にとって適した選択肢ではない。具体的には、既存の円形ステープラは腹腔鏡手術に必要である一般的な１２ｍｍのトロカールに対して大きすぎるため、腹腔鏡補助下手術でのみ使用でき、完全腹腔鏡下手術では使用できない。
【０００４】
また、外科医は、組織が側端吻合又は側々吻合よりも良好に治癒するため、腹腔鏡手技における端々吻合の可能性をより好む。しかしながら、今日の完全腹腔鏡下手術に利用可能な端々吻合システムは存在しない。そのうえ、信頼性の低い吻合は、出血及び漏出につながる。したがって、外科医は、ステープル留め後に、縫合で吻合を補強して漏出を回避する必要がある。
【発明の概要】
【発明が解決しようとする課題】
【０００５】
上記を念頭に置いて、完全腹腔鏡下手術及び漏出が発生しない端々吻合の両方に適合される新しいステープラを提供することが望ましい。
【課題を解決するための手段】
【０００６】
したがって、本発明の目的は、より少ない漏出を伴うより良好な吻合及び改善された組織治癒のための腹腔鏡ステープラを提供することである。
【０００７】
したがって、組織をステープル留めするための腹腔鏡ステープラが提供される。腹腔鏡ステープラは、ステープルをアンビルアセンブリに向かって駆動して組織のステープル留めを行うように動作可能なステープルハウジングアセンブリを備え、ステープルハウジングアセンブリが、バイオ接着剤を収容するためのポケットを備え、これにより、組織をステープル留めするときに、バイオ接着剤が放出され、組織接着のためにステープルハウジングアセンブリとアンビルアセンブリとの間にクランプされた組織内に送達される。
【０００８】
一実施形態において、ステープルハウジングアセンブリは、アンビルアセンブリに対して選択的に移動可能な別個のアセンブリである。
【０００９】
一実施形態において、ステープルハウジングアセンブリ及びアンビルアセンブリの両方が、実質的にＴ字形のアセンブリである。
【００１０】
一実施形態において、ポケットは、複数のポケットを含み、これらのポケットの各々が、ステープルハウジングアセンブリ内に配置された複数のステープルポケットのうちの１つに対応する。
【００１１】
一実施形態において、複数のポケットは、ステープルポケットと同様に複数の長円形の列に配設されている。
【００１２】
一実施形態において、ステープルハウジングアセンブリは、組織切断用のブレードを更に備える。
【００１３】
一実施形態において、ステープルハウジングアセンブリは、ステープル、バイオ接着剤、及びブレードを順に押し出すためのステップ駆動部を備える。
【図面の簡単な説明】
【００１４】
本明細書は、本技術を具体的に指摘し、かつ明確にこの技術を特許請求する、特許請求の範囲により完結するが、本技術は、以下のある特定の実施例の説明を添付図面と併せ読むことでよりよく理解されるものと考えられ、図面において同様の参照符号は同じ要素を特定する。
【図１】本発明による例示的な腹腔鏡ステープラの斜視図である。
【図２】図１の腹腔鏡ステープラで使用されるステープルハウジングアセンブリを示す。
【図３】図１の腹腔鏡ステープラで使用されるアンビルアセンブリを示す。
【図４】本発明によるステープルハウジングアセンブリの断面図である。
【発明を実施するための形態】
【００１５】
本技術の特定の実施例の以下の説明は、その範囲を限定する目的で用いられるべきではない。本技術の他の実施例、特徴、態様、実施形態、及び利点は、実例として、本技術を実施する上で想到される最良の態様の１つである以下の説明により、当業者には明らかとなるであろう。したがって、図面及び説明は、限定的な性質のものではなく、例示的な性質のものと見なされるべきである。
【００１６】
図１は、アンビルアセンブリ３０、シャフトアセンブリ４０、及びアクチュエータハンドルアセンブリ５０を有する例示的な腹腔鏡ステープル留め器具１０を図示する。別個のステープルハウジングアセンブリ２０は、器具の閉鎖システム及びトリガシステムに動作可能に結合可能であるように構成される。ステープルハウジングアセンブリ２０は、結合位置にあるときに、ステープルをアンビルアセンブリ３０に向かって駆動して、ステープルを形成するように動作可能である。シャフトアセンブリ４０は、アクチュエータハンドルアセンブリ５０から遠位側に延在し、アンビルアセンブリ３０は、シャフトアセンブリ４０の遠位端部に結合される。一実施例では、アクチュエータハンドルアセンブリ５０は、ステープルハウジングアセンブリ２０のプッシュトリガを作動させて、器具の遠位端部に結合されたステープルハウジングアセンブリ２０から複数のステープルを駆動して出すように動作可能である。ステープルは、アンビルアセンブリ３０によって屈曲されて、完成したステープルを形成する。したがって、結合され閉鎖されたステープルハウジングアセンブリ２０とアンビルアセンブリ３０との間の組織が、器具１０を利用してステープル留めされ得る。
【００１７】
図２に示すように、ステープルハウジングアセンブリ２０は、別個の撥ね上げ可能なＴ字形アセンブリである。一実施例では、ステープルハウジングアセンブリ２０は、ステープルハウジング２１と、ステープルハウジング２１から近位側に延在するハウジングシャフト２２と、を備える。通常の円形ステープリングヘッドとは異なり、本発明によるステープルハウジング２１は、円みを帯びた矩形又は楕円形の外形などの、横長又は長円形の外形を有する。ステープルハウジング２１は、例えば、ヘッド枢動部２３を介してハウジングシャフト２２にリンクされ、ハウジングシャフト２２は、ステープルハウジングアセンブリ２０を器具の閉鎖システムに選択的に結合するためのものである。実施形態では、ステープルハウジングアセンブリ２０は、送達のための第１の線形構成と、結合及びステープル留めのために示されるような第２の垂直構成との間で、ヘッド枢動部２３の長手方向軸を中心に回転可能である。線形構成の場合、ステープルハウジングアセンブリ２０は、アセンブリ全体が、腹腔鏡手術で一般的に使用される１２ｍｍのトロカールを通過できるように非常に低い外形を有し、垂直構成の場合、ステープルハウジング２１は、高い外形を呈するようにハウジングシャフト２２に対して垂直であるように枢動可能であることが理解されよう。ステープルハウジングアセンブリ２０は、この文脈において閉鎖システムに選択的に結合可能であるものとして説明されているが、近位シャフトは、一旦装着されると、ステープルハウジングアセンブリ２０を器具１０から取り外すことができないように、一方向結合機構を含み得る。
【００１８】
本実施例のアンビルアセンブリ３０も、実質的にＴ字形に撥ね上げ可能であり、シャフトアセンブリ４０の遠位端部に結合されている。図３に示すように、アンビルアセンブリ３０は、アンビル３１と、アンビル３１から近位側に延在するアンビルシャフト３２と、を備える。アンビル３１は、中央開口部と、遠位端部にある長円形ステープル成形表面と、を有する。ステープルハウジングアセンブリ２０のハウジングシャフト２２は、器具の閉鎖システムに結合されるように開口部を通過し得る。アンビル３１も、例えば、ヘッド枢動部３３を介してアンビルシャフト３２にリンクされ得る。ステープルハウジングアセンブリ２０と同様に、アンビルアセンブリ３０も、第１の線形構成と第２の垂直構成との間でヘッド枢動部３３の長手方向軸を中心に回転可能であるように構成される。また、線形構成の場合、アンビルアセンブリ３０は、アセンブリ全体が１２ｍｍのトロカールを通過できるように非常に低い外形を有し、垂直構成の場合、アンビル３１は、アンビルシャフト３２に対して垂直になるように枢動して、Ｔ字形で高い外形を呈する。
【００１９】
ステープルハウジングアセンブリ２０は別個の結合可能な構成要素であるため、ステープルハウジングアセンブリ２０は、器具に結合される前に、線形構成で組織の一部分に挿入され得る。ほんの一例として、ステープルハウジングアセンブリ２０は、食道などの組織の第１の管状部分に挿入されてもよく、一方、器具１０は、ジュジュン（jujune）などの組織の第２の管状部分に挿入される。そして、ステープルハウジングアセンブリ２０及びアンビルアセンブリ３０の両方は、線形構成で１２ｍｍのトロカールを通過できるため、本発明によるステープラは、完全腹腔鏡下手術で使用され得、したがって、腹腔鏡ステープラと呼ばれ得る。そのうえ、Ｔ字形のステープルハウジングアセンブリ及びアンビルアセンブリによって提供される高い外形により、本発明によるステープラは、比較的大きな管腔、例えば、直径２６ｍｍ、２８ｍｍ、３０ｍｍ、３４ｍｍ、３６ｍｍ、３８ｍｍ、４０ｍｍ、又は４２ｍｍの管腔の接合に適合されることを可能にする。
【００２０】
上記のように、ステープルハウジングアセンブリ２０は、ステープルハウジングアセンブリ２０とアンビルアセンブリ３０との間にクランプされた材料をステープル留めするために、器具１０の閉鎖システム及び発射システムに動作可能に結合可能である。ステープルハウジングアセンブリ２０が結合された後、閉鎖システムは、アンビルアセンブリ３０に対してステープルハウジングアセンブリ２０を長手方向に並進させて、それらの間に組織をクランプするように動作可能である。一旦適切な状態になると、トリガ５４を備える発射システムは、ステープルをステープルハウジングアセンブリから駆動及び発射するために、ユーザによって作動され得る。
【００２１】
図４に示すように、本実施例のステープルハウジング２１は、外側ケーシング２４と、内側ケーシング２５と、を備える。プッシュトリガ２６は、ステープルハウジング２１内に配置され、トリガ５４の作動に応答して近位側に駆動されるように構成され、次に、ステップ駆動部２７を近位側に駆動し得る。ステープルハウジング２１は、ステップ駆動部２７が近位側に作動したときに、組織を切断するように構成されるブレード２８を更に備える。ステープルポケット内に収容される複数のステープル６６は、ステップ駆動部２７の近位作動も、ステープルを近位側に駆動するように、ステップ駆動部２７の近位に位置合わせされる。
【００２２】
本発明によれば、ステープルハウジング２１は、バイオ接着剤を収容するための複数の接着剤ポケット２９を更に備える。ステップ駆動部２７がステープル６６を駆動して組織をステープル留めするように、接着剤ポケットが提供され、バイオ接着剤も同じ駆動部によってステープルハウジング２１から組織に押し出され得る。図４から分かるように、接着剤ポケット２９及びステープルポケットは、一対の同心長円形列内に配置される。ブレード２８は、バイオ接着剤及びステープルに対して遠位側に配設される。そのため、ステップ駆動部２７が近位側に作動されると、最初にステープルを押し出し、バイオ接着剤を各々のポケットから組織へと押し出して、ステープル留め及び接着をする。このようなバイオ接着剤の組織への送達は、漏出を防止し、組織治癒を促進し、したがって改善された吻合を提供し得る。ステップ駆動部２７が更に近位側に作動されると、ブレード２８を駆動して組織切断を達成する。
【００２３】
ここで、本発明による腹腔鏡ステープラの動作について、例示的なジュジュン吻合及び食道吻合に関して説明する。
【００２４】
この腹腔鏡法では、吻合は１２ｍｍのトロカールによって提供される送達チャネルを用いて、準備された状態で行われ、ジュジュン及び食道の端部は、例えば線形ステープラで閉鎖される。第１の工程では、食道の準備され閉鎖された端部に開口部が作製され、把持具で安定化され得る。上述したステープルハウジングアセンブリ２０などのステープルハウジングアセンブリが、作製された開口部を通って線形構成で挿入され、次いで、アセンブリ２０を作動させてＴ字形構成にし、ステープルハウジングアセンブリ２０が結合する準備を整えるために、ハウジングシャフトを開口部から食道端部の外に突出させる。任意選択的に、アセンブリ２０は、例えば、把持具で安定化され得る。次の工程では、器具１０を、１２ｍｍのトロカール手術デバイスを通して及び準備されたジュジュンの開口部に線形構成でアンビルアセンブリ３０を用いて挿入し、次いで、器具をＴ字形構成に作動させる。ジュジュン壁は、ここで、Ｔ字形のアンビルによって長円形に作製される。次の工程において、ステープルハウジングアセンブリ２０は、器具の閉鎖システムに結合され、ステープルハウジングアセンブリ２０は、アンビルアセンブリ３０に向かって近位側に作動されて、それらの間の間隙距離を閉鎖する。一旦器具１０が動作範囲内に入ると、ユーザは器具１０のトリガ５４を作動させて、ステップ駆動部２７を近位側に駆動する。ステップ駆動部２７の作動は、ステープル留め及び接着のために、ステープル及びバイオ接着剤を組織に押し出し、食道及びジュジュンの重なり合う組織を切断するためにブレードをも押し出す。このように端々吻合が完了すると、外科医は、ステープルハウジングアセンブリ２０及びアンビルアセンブリ３０を線形構成に戻し得、次いで、ステープラは、１２ｍｍのトロカールを通って患者から取り外され得る。
【００２５】
記載された例に対しては、多くの修正がなされ得る。ステープルハウジングアセンブリ２０が閉鎖システムに結合されるとき、ステープルハウジングアセンブリ２０の近位面とアンビルアセンブリ３０の遠位面との間の間隙距離が短くなり得ることが想定される。この点に関して、閉鎖システムは、アクチュエータハンドルアセンブリ５０の近位端部に位置する調節ノブ５８を介して、アンビルアセンブリ３０に対して長手方向に並進可能であり得る。したがって、ステープルハウジングアセンブリ２０が閉鎖システムに結合されると、調節ノブ５４の回転は、ステープルハウジングアセンブリ２０をアンビルアセンブリ３０に対して作動させることによって間隙距離を短くする。例えば、ステープルハウジング２０は、初めの開放位置から閉鎖位置へアンビルアセンブリ３０に対して近位側に作動され、これによって、間隙距離及び組織の接合されるべき２つの部分間の距離が短くなる。一旦間隙距離が所定の範囲内になると、アクチュエータハンドルアセンブリ５０のトリガ５４をユーザが枢動させることによって、ステープルハウジングアセンブリ２０が発射され得る。
【００２６】
上述のように、間隙距離は、ステープルハウジングアセンブリ２０とアンビルアセンブリ３０との間の距離に対応する。ステープラが患者に挿入されるとき、この間隙距離は容易に視認できないことがある。したがって、可動インジケータバーは、アクチュエータハンドルアセンブリ５０の上部に位置合わせされたインジケータウィンドウを通して視認可能であるように提供され得る。例えば、インジケータバーは、インジケータバーの位置が間隙距離を表すように、調節ノブ５８の回転に応答して移動するように動作可能である。そのうえ、インジケータウィンドウ５１は、間隙が所望の動作範囲内にあることを示すスケールと、スケールの各端部にある対応するステープル圧縮表現と、を更に備え得る。したがって、ユーザは、インジケータバー及びスケールを介して、アンビルアセンブリ３０に対する結合されたステープルハウジング２０の位置を視認できる。
【００２７】
本発明による更なる実施形態では、図１に示されるように、アンビルアセンブリ３０のそのＴ字形構成への作動及びアンビルアセンブリ３０のその元の線形構成への非作動に対応するアンビル制御ボタン５２、５３が、アクチュエータハンドルアセンブリ５０に提供される。この構成により、ユーザは、ステープラをトロカールチャネルを通して除去するために低い外形に容易に戻し得る。
【００２８】
好ましい実施形態を示し、説明してきたが、このような開示によって本発明を限定しようとするものではなく、むしろ本発明の趣旨及び範囲内のすべての改変及び代替的構成を網羅しようとするものであることが理解されるであろう。
【００２９】
〔実施の態様〕
（１）  組織をステープル留めするための腹腔鏡ステープラであって、ステープルをアンビルアセンブリに向かって駆動して組織のステープル留めを行うように動作可能なステープルハウジングアセンブリを備え、前記ステープルハウジングアセンブリが、バイオ接着剤を収容するためのポケットを備え、これにより、組織をステープル留めするときに、前記バイオ接着剤が放出され、組織接着のために前記ステープルハウジングアセンブリと前記アンビルアセンブリとの間にクランプされた組織内に送達される、腹腔鏡ステープラ。
（２）  前記ステープルハウジングアセンブリが、前記アンビルアセンブリに対して移動可能な別個のアセンブリである、実施態様１に記載の腹腔鏡ステープラ。
（３）  前記ステープルハウジングアセンブリ及び前記アンビルアセンブリの両方が、実質的にＴ字形のアセンブリである、実施態様２に記載の腹腔鏡ステープラ。
（４）  前記ポケットが複数のポケットを含み、これらのポケットの各々が、前記ステープルハウジングアセンブリ内に配置された複数のステープルポケットのうちの１つに対応する、実施態様３に記載の腹腔鏡ステープラ。
（５）  前記複数のポケットが、前記ステープルポケットと同様に複数の長円形の列に配設されている、実施態様４に記載の腹腔鏡ステープラ。
【００３０】
（６）  前記ステープルハウジングアセンブリが、組織切断用のブレードを更に備える、実施態様２に記載の腹腔鏡ステープラ。
（７）  前記ステープルハウジングアセンブリが、前記ステープル、前記バイオ接着剤、及び前記ブレードを順に押し出すためのステップ駆動部を備える、実施態様６に記載の腹腔鏡ステープラ。
【図１】
2021502176.tif 000003
【図２】
2021502176.tif 000004
【図３】
2021502176.tif 000005
【図４】
2021502176.tif 000006
【国際調査報告】
2021502176.tif 000007
2021502176.tif 000008